(57)【要約】  消費電力を増大させることなく高速動作を実現することができる光位相変調回路及び光位相変調方法を提供すること。本発明にかかる光位相変調回路は、タンデム結合された複数の分割電極１２〜１５を有し、それぞれの分割電極を用いて変調された光信号を足し合わせて変調信号を生成する光変調部５０と、複数の分割電極を駆動させる駆動回路８〜１１と、駆動回路８〜１１の動作タイミングを制御することにより、光信号が複数の分割電極１２〜１５において変調されるタイミングを制御する変調タイミング制御部６０と、を備えるものである。
2012063413.tif 000002
【特許請求の範囲】
【請求項１】
タンデム結合された複数の分割電極を有し、前記それぞれの分割電極を用いて変調された光信号の位相を足し合わせて変調信号を生成する光変調部と、
前記複数の分割電極を駆動させる駆動部と、
前記駆動部の動作タイミングを制御することにより、前記光信号が前記複数の分割電極において変調されるタイミングを制御する変調タイミング制御部と、を備える光位相変調回路。
【請求項２】
信号源と、
前記信号源から出力された信号を複数の分岐信号に分岐する分岐部と、をさらに備え、
前記タイミング制御部は、
前記複数の分岐信号を複数の前記駆動部へ出力するタイミングを制御することにより前記複数の駆動部の動作タイミングを制御する、請求項１記載の光位相変調回路。
【請求項３】
前記タイミング制御部は、
前記分岐部から出力された前記複数の分岐信号のうち少なくとも１つの分岐信号に遅延を与えて前記駆動部へ出力する遅延部と、
前記複数の分岐信号に与えられる遅延量を制御することにより、前記複数の分割電極を駆動させるタイミングを制御する遅延制御部と、を有する請求項１又は２記載の光位相変調回路。
【請求項４】
前記遅延制御部は、
前記光信号の伝搬遅延よりも大きい遅延量又は前記光信号の伝搬遅延よりも小さい遅延量を前記複数の分岐信号のうち少なくとも１つの分岐信号に与えるよう前記遅延量を制御する、請求項３記載の光位相変調回路。
【請求項５】
前記駆動部から前記分割電極へ出力される駆動信号の駆動波形にアナログピーキング特性を与えるインダクターをさらに備える、請求項１乃至４のいずれか１項に記載の光位相変調回路。
【請求項６】
前記遅延部は、
受け取ったクロック信号の位相を変化させる移相器と、
前記移相器から出力されるクロック信号のタイミングに応じて前記分岐信号を前記駆動部へ出力するフリップフロップ回路と、を有し、
前記遅延制御部は、
前記移相器における前記クロック信号の位相変化量を制御して、当該移相器から前記フリップフロップ回路へ出力するクロック信号の出力タイミングを制御する、請求項３又は４に記載の光位相変調回路。
【請求項７】
前記光変調部から出力される変調信号の波形を監視する波形モニター回路をさらに備え、
前記タイミング制御部は、
前記波形モニター回路から出力される前記変調信号の立ち上がり時間又は立ち下がり時間を予め定められた時間となるよう、前記駆動部の動作タイミングを制御する、請求項１乃至６のいずれか１項に記載の光位相変調回路。
【請求項８】
信号源から出力された信号を複数の分岐信号に分岐するステップと、
前記複数の分岐信号のうち少なくとも１つの分岐信号の出力タイミングを制御するステップと、
前記出力タイミングを制御された分岐信号を含む複数の分岐信号を用いて、タンデム結合された複数の分割電極を駆動させるステップと、を備える光位相変調方法。
【発明の詳細な説明】
【技術分野】
【０００１】
本発明は光位相変調回路及び光位相変調方法に関し、特にコヒーレント光通信に用いられる光位相変調回路及びその光位相変調回路に用いられる光位相変調方法に関する。
【背景技術】
【０００２】
インターネットや映像配信等の広帯域マルチメディア通信サービスの爆発的な需要増加に伴い、幹線系やメトロ系のネットワークではより長距離大容量かつ高信頼な高密度波長多重光ファイバ通信システムの導入が進んでいる。また、加入者系のネットワークにおいても、光ファイバアクセスサービスの普及が急速に進んでいる。こうした光ファイバを使用した通信システムでは、光伝送路である光ファイバの敷設コスト低減や、光ファイバ１本当たりの伝送帯域利用効率を高めることが重要である。このため、複数の異なる波長の信号光を多重化して伝送する波長多重技術が広く用いられてきた。【０００３】
また１波長チャンネル当りの伝送容量の拡大には、これまで一般的に用いられてきた２値光強度変調方式の伝送速度を向上させることにより大容量化を図ってきた。しかし、４０Ｇｂｐｓあるいは１００Ｇｂｐｓのような高速伝送になってくると、光ファイバの波長分散や偏波モード分散に対する耐性の観点から、通常の２値光強度変調方式ではなくコヒーレント光通信技術を用いた位相変調方式が近年では主流となってきている。【０００４】
この位相変調方式は、信号に応じて光信号の位相を変化させる変調方式である。例えば、４０Ｇｂｐｓ以上の伝送速度を有する一般的な変調器として、ＬｉＮｂＯ３等の強誘電体結晶を材料とした光導波路を用いた位相変調器がある（以降、ＬＮ変調器と呼ぶ）。ＬＮ変調器は、光導波路に設けた電極に電界を印加した際に生じる１次の電気光学効果による屈折率の変化を利用して位相変調を行う。【０００５】
このとき、位相変調器の変調帯域を制限する要因については、次のものが挙げられる。ＬＮ変調器の場合、屈折率が比較的小さい。そのため、ＬＮ変調器は、所要の位相変動量を得るためには、変調器の素子長を通常、数ｍｍから数ｃｍの長さにする。しかしながら、変調器を駆動する信号（マイクロ波）が変調器の素子に取り付けられた電極を伝搬する速度と、光信号が光導波路を伝搬する速度が異なるので、駆動信号による電界が素子中において光信号に有効に作用せず、変調帯域が制限されてしまう。【０００６】
そこで、変調器は、駆動信号と光信号との伝搬方向を一致させた進行波型の電極構造を有し、マイクロ波と光との素子内における伝送速度を一致させることにより、変調周波数帯域の拡大を図ることができる。図１２に進行波型電極を採用したＬｉＮｂＯ３位相変調器の一例を示す。図１２におけるＬｉＮｂＯ３位相変調器は、ＣＷ光信号源１０１から出力された光信号が光導波路１０２を介して出力される。さらに、進行波電極１０３は、駆動回路を用いて制御され、光信号を変調する。また、駆動回路１０４は、信号源１０５から出力される電気信号を用いて制御される。【０００７】
しかしながら、進行波型電極を採用したＬｉＮｂＯ３位相変調器は、一般的に、変調器を駆動する駆動電圧として５Ｖ以上の電圧が必要である。そのため、進行波型電極を採用したＬｉＮｂＯ３位相変調器は、駆動回路の消費電力が大きくなるばかりか、そもそも５Ｖ以上の大出力振幅で高速動作する広帯域な駆動回路を実現するのは困難である。ここで、変調器の素子長をさらに長くすることにより、駆動電圧の増加を抑制させることは可能である。しかし、一方で、前述のとおり変調器駆動信号となるマイクロ波と光の進行速度とを一致させる事が困難となり変調帯域に制限が出てしまう。さらに、進行波電極を駆動信号が伝搬するにつれて信号振幅も減衰していく。そのため、変調器の素子長を長くすることには限界がある。【０００８】
すなわち、位相変調器の変調帯域拡大と駆動電圧低減とは、トレードオフの関係にあると言える。このように、高速位相変調を実現するには、光位相変調器の変調帯域の拡大が必要となる。また、変調器を駆動する電気回路は、一般に信号出力の増大とともに帯域は減少するという傾向があるので、位相変調器には低駆動電圧、広帯域動作が望まれる。【０００９】
このような課題を解決する方法として、特許文献１及び２には、複数の光変調器をタンデムに結合し、それぞれの変調器を駆動する電気信号の出力タイミングを遅延させ、それぞれの変調器における位相変化を足し合わせたトータルの位相変化を制御する光位相変調回路又は光送信装置を開示している。
【先行技術文献】
【特許文献】
【００１０】
【特許文献１】特開２００７−１５８４１５号公報
【特許文献２】特開平０５−２５７１０２号公報
【発明の概要】
【発明が解決しようとする課題】
【００１１】
しかしながら、たとえ複数の光変調器をタンデムに結合することにより変調帯域を拡大し、さらに低駆動電圧動作を行ったとしても、１０Ｇｂｓ以上の速度で駆動するとなると駆動波形の立ち上がり／立ち下がりが鈍ってしまう。そのため、更なる速度向上には駆動回路の出力インピーダンスを低減する等の工夫が必要であり、結果的に電力の増大を伴ってしまう。あるいは、電気回路の高速化でしばしば用いられるインダクターを用いたピーキング技術を用いて駆動波形の立ち上がり／立ち下がりの速度向上も可能ではあるが、アナログ的な調整が必要となるばかりか、いったん駆動回路内に作り込んでしまうと温度電源等の環境変動で特性が変動してしまうと、対応ができないという課題がある。また、電気回路によるＦＩＲフィルタを用いた波形ピーキング技術もある。この技術を用いれば温度／電源変動に対しても高精度に制御することが可能であるが、一方で電気回路の規模が増大し電力の増加を招くだけでなく、電気回路自体の負荷が大きくなるため、その分を補うために回路規模増大以上の電力を必要とすることになる。このように、温度／電源変動などに対しても波形の立ち上がり／立ち下がりの制御を可能とし、余分な電力を増加させることなく、高速な光変調を実現するための変調方法の実現が求められる。【００１２】
本発明は、消費電力を増大させることなく高速動作を実現することができる光位相変調回路及び光位相変調方法を提供することを目的とする。
【課題を解決するための手段】
【００１３】
本発明の第１の態様にかかる光位相変調回路は、タンデム結合された複数の分割電極を有し、前記それぞれの分割電極を用いて変調された光信号を足し合わせて変調信号を生成する光変調部と、前記複数の分割電極を駆動させる駆動部と、前記駆動部の動作タイミングを制御することにより、前記光信号が前記複数の分割電極において変調されるタイミングを制御する変調タイミング制御部と、を備えるものである。【００１４】
本発明の第２の態様にかかる光位相変調方法は、信号源から出力された信号を複数の分岐信号に分岐するステップと、前記複数の分岐信号のうち少なくとも１つの分岐信号の出力タイミングを制御するステップと、前記出力タイミングを制御された分岐信号を含む複数の分岐信号を用いて、タンデム結合された複数の分割電極を駆動させるステップと、を備えるものである。
【発明の効果】
【００１５】
本発明により、消費電力を増大させることなく高速動作を実現することができる光位相変調回路及び光位相変調方法を提供することができる。
【図面の簡単な説明】
【００１６】
【図１】実施の形態１にかかる光位相変調回路の構成図である。
【図２】実施の形態１にかかる光位相変調回路の構成図である。
【図３】実施の形態１にかかる駆動回路の構成図である。
【図４】実施の形態１にかかる光信号を位相変調する際のタイミングチャートである。
【図５】実施の形態１にかかる位相変調後の光信号の波形図である。
【図６】実施の形態１にかかるアナログ的なピーキング特性が与えられた光信号の波形図である。
【図７】実施の形態１にかかるアナログ的なピーキング特性及び遅延制御が行われた光信号の波形図である。
【図８】実施の形態２にかかる光位相変調回路の構成図である。
【図９】実施の形態３にかかる光位相変調回路の構成図である。
【図１０】特許文献２における光信号を位相変調する際のタイミングチャートである。
【図１１】特許文献２における位相変調後の光信号の波形図である。
【図１２】一般的な進行波型電極を採用したＬｉＮｂＯ３位相変調器の構成図である。
【発明を実施するための形態】
【００１７】
（実施の形態１）
以下、図面を参照して本発明の実施の形態について説明する。図１を用いて本発明の実施の形態１にかかる光位相変調回路の構成例について説明する。光位相変調回路は、光信号源１と、信号源３と、駆動回路８〜１１と、変調タイミング制御部６０とを備えている。また、変調部５０は、分割電極１２〜１５と、光導波路２とを有している。
【００１８】
変調部５０は、光信号源１から光導波路２に対して出力された光信号の位相変調を行う。変調部５０は、位相変調後の光信号を出力する。変調部５０は、分割電極１２〜１５を用いて光信号の位相変調を行う。分割電極１２〜１５は、光導波路２に設けられている。さらに、分割電極１２〜１５は、タンデム結合されている。光導波路２を通過する光信号は、分割電極１２〜１５に電界を印加した際に生じる１次の電気光学効果による屈折率の変化により位相変調される。光導波路２を通過する光信号は、それぞれの分割電極において位相変調され、それぞれ位相変調された光信号の位相が足しあわされる。変調部５０は、位相が足しあわされた光信号を出力する。
【００１９】
このようにして、ひとつの変調部５０は、複数の分割電極を有し、それぞれの分割電極において位相変調された光信号の位相を足し合わせた光信号を生成する。
【００２０】
駆動回路８〜１１は、分割電極１２〜１５を駆動させる。駆動回路８〜１１は、駆動信号を生成し、分割電極１２〜１５へ出力する。分割電極１２〜１５は、駆動信号を受け取ったタイミングにおいて、光信号の位相変調を行う。本図においては、分割電極１２〜１５と、駆動回路８〜１１は、１対１に対応しているが、例えば、複数の分割電極が、ひとつの駆動回路によって制御されてもよい。
【００２１】
変調タイミング制御部６０は、駆動回路８〜１１の動作タイミングを制御することにより、光信号が複数の分割電極において変調されるタイミングを制御する。
【００２２】
以上説明したように、図１にかかる光位相変調回路は、ひとつの変調部が、タンデム結合された複数の分割電極を有する。そのため、一つ一つの分割電極の素子長が短くなり、分割電極は、低電圧により駆動することができる。また、ひとつの変調部が複数の分割電極を有することにより、変調帯域を様々な値に設定することができる。つまり、変調タイミング制御部６０がそれぞれの駆動回路の動作タイミングを制御することにより、光信号の位相変調帯域を変化させることができる。また、所望の位相変調帯域を得るために、Ｎ分割された全ての分割電極が駆動する必要はなく、所望の位相変調帯域に応じた数の分割電極が動作すればよい。そのため、複数の分割電極を有する変調部は、一つの電極を有する変調部と比較して、低電圧により駆動することができる。
【００２３】
続いて、図２を用いて本発明の実施の形態１にかかる光位相変調回路の詳細な構成例について説明する。光位相変調回路は、光信号源１と、光導波路２と、信号源３と、可変遅延回路４〜７と、駆動回路８〜１１と、分割電極１２〜１５と、遅延制御回路１６と、分岐部１７〜１９と、を備えている。
【００２４】
光信号源１は、光信号を生成し、生成した光信号を光導波路２へ出力する。光導波路２は、例えばＬｉＮｂＯ３等の強誘電体結晶を材料として構成されている。また、光導波路２には、光信号の進行方向に沿って分割電極１２〜１５が設けられている。分割電極１２〜１５は、タンデムにＮ個結合されている。本図においては、分割電極１４と分割電極１５との間にも、複数の分割電極が設けられている。光導波路２は、分割電極１２〜１５に電界を印加した際に生じる１次の電気光学効果による屈折率の変化を利用して位相変調を行う。
【００２５】
信号源３は、送信データに基づいて生成される電気信号を出力する。また、信号源３から出力された電気信号は、分岐部１７〜１９において分岐される。ここで、本図における分岐部は、Ｎ−１個あるとし、信号源３から出力された電気信号は、Ｎ個の電気信号に分岐される。Ｎ個に分岐された電気信号は、それぞれ可変遅延回路４〜７へ出力される。
【００２６】
可変遅延回路４は、受け取った電気信号に可変の遅延量を与えて、駆動回路８へ出力する。可変遅延回路５〜７も同様に、受け取った電気信号に遅延を与えて駆動回路９〜１１へ出力する。可変遅延回路４〜７が与える可変の遅延量は、遅延制御回路１６によって制御される。
【００２７】
駆動回路８は、可変遅延回路４から受け取った電気信号を用いて駆動信号を生成し、分割電極１２へ出力する。駆動回路９〜１１も同様に、可変遅延回路５〜７から受け取った電気信号を用いて駆動信号を生成し、分割電極１３〜１５へ出力する。分割電極１２〜１５は、駆動回路８から受け取った駆動信号により駆動する。つまり、分割電極１２〜１５は、駆動信号を受け取ったタイミングにおいて電界を印加し、光導波路２に沿って進む光信号の位相変調を行う。
【００２８】
また、駆動回路８は、光信号にアナログ的なピーキング特性を与える。光信号にアナログ的なピーキング特性を与えることにより、余分な電力増加を行うことなく、光信号の立ち上がり及び立ち下がりタイミングを急峻にすることができる。信号の立ち上がり及び立ち下がりタイミングを急峻にすることにより動作速度を向上させることができる。ここで、図３を用いて駆動回路８の具体的な構成例について説明する。
【００２９】
シャントピーキング用インダクター２１及び２２は、電源電極ＶＤＤに接続されている。また、シャントピーキング用インダクター２１と、抵抗２３と、トランジスタ２５とは、直列に接続されている。同様に、シャントピーキング用インダクター２２と、抵抗２４と、トランジスタ２６とは、直列に接続されている。トランジスタ２５と、トランジスタ２６とは、接地電極ＶＳＳに接続されている可変キャパシタ２７と接続されている。シリーズピーキング用インダクター２８は、分割電極１２と、抵抗２３及びトランジスタ２５の接点と接続されている。
【００３０】
シリーズピーキング用インダクター２８は、例えば、駆動回路８と分割電極１２とを実装する際に用いられるボンディングワイヤー等を利用してもよい。また、シャントピーキング用インダクター２１及び２２は、駆動回路８内にスパイラルインダクターとして構成されてもよい。
【００３１】
図２に戻り、分割電極１２〜１５は、タンデムに接続されており、本図においては、一つの変調部は、Ｎ個の分割電極により構成されている。このように、一つの変調部内に配置される電極をＮ個に分割し、分割された電極毎に駆動回路を用いて動作させることにより、ひとつの長い電極を駆動させる場合と比較して、低い電圧を用いて駆動させることができる。
【００３２】
続いて、光位相変調回路の変調動作について説明する。はじめに、入力信号となる信号源３から出力された電気信号は、Ｎ−１個の分岐部１７〜１９を介して、Ｎ個の電気信号に分岐される。分岐されたＮ個の電気信号は、任意の遅延を与えることが可能なＮ個の可変遅延回路４〜７によってそれぞれ遅延される。遅延が与えられたＮ個の電気信号は、Ｎ個の駆動回路８〜１１へそれぞれ出力される。Ｎ個の駆動回路８〜１１は、受け取った電気信号にアナログ的なピーキング特性を与え、駆動信号を光導波路２に沿って設けられたＮ個の分割電極１２〜１５へ出力する。分割電極１２〜１５は、駆動信号を受け取ったタイミングに応じて動作する。
【００３３】
一方、光信号源１から発せられた無変調の光信号は、Ｎ個のタンデムに結合された分割電極１２〜１５を通過する際に、それぞれの分割電極によって順次位相変調され、トータルの位相変化が所望の位相変動量となるよう設定する。
【００３４】
このとき、光導波路内を光が通過する際に光信号に伝搬遅延が生じる。そのため、このような伝搬遅延を補償するために、特許文献２記載の光位相変調回路では、その光信号の伝播遅延に合わせて分割電極を駆動させる駆動信号に遅延を与える。駆動信号に遅延を与えることにより、光信号通過時刻と駆動信号の出力時刻とを一致させることができる。これにより、駆動信号の擬似的な進行波を生成して光の伝播遅延を補償している。ここで、特許文献２における光位相変調回路のタイミングチャートならびに光位相変調波形を図１０及び１１に示す。図１０に示すとおり、各分割電極を駆動する信号波形には均等にＴの遅延量が与えられる。この遅延量Ｔは、光の伝播遅延と一致している。これにより、最終的な光位相変調波形は、図１１に示すとおり、すべての駆動信号波形がタイミングずれなくきれいに加算された形で現れることになる。
【００３５】
一方、本発明においては、図１０に示すタイミングチャートとは異なり、各分割電極の駆動信号のタイミングを光の伝播遅延に対して敢えて積極的にずらすことにより、光信号の立ち上がり及び立ち下がりタイミングを制御することを特徴とする。
【００３６】
例えば、光の伝播遅延Ｔに対して、各分割電極に与える駆動信号のタイミングを各々ΔＴだけ余分に遅延させた場合のタイミングチャートならびに光位相変調波形を図４に示す。遅延制御回路１６は、光の伝搬遅延Ｔに対して、余分に遅延させる遅延量を決定し、可変遅延回路４〜７へ通知する。
【００３７】
また、図５は、Ｔ＋ΔＴだけ遅延させた駆動信号により各分割電極を動作させた場合における光位相変調波形を示している。実線は、それぞれの分割電極において変調された光信号を足し合わせた光信号を示している。破線は、それぞれの分割電極において変調された光信号を示している。本図に示すとおり、光の伝播遅延Ｔと擬似的な電気進行波をぴったり一致させた図１１の場合に比べて、光信号の立ち上がり及び立ち下がり期間広がっていることが分かる。ここで、ΔＴを任意に可変することにより、立ち上がり及び立ち下がり時間及び波形の鈍り度合いを制御することができる。このとき、ΔＴには、各電極すべてに同じ遅延量のずれが与えられてもよく、あるいは、それぞれ別々の任意の遅延量が与えられてもよく、その組合せは特に制限されない。
【００３８】
このように、光変調器の駆動回路のタイミングを調整することにより、駆動回路の電力を増加することなく、光信号の立ち上がり及び立ち下がりタイミングを調整することが可能な光変調器を実現することができる。
【００３９】
また、光変調波形の立ち上がり及び立ち下がりタイミングを調整し、光変調波形を鈍らせることにより、次のような効果を得ることができる。図２における駆動回路８〜１１は、光信号にアナログ的なピーキング特性を与えるように分割電極１２〜１５を制御する。この場合、光信号は、立ち上がり及び立ち下がりタイミングが急峻になる。しかし、光信号の立ち上がり及び立ち下がりタイミングが急峻になることによって、オーバーシュート又はアンダーシュートと呼ばれる波形の乱れが発生する。そこで、可変遅延回路４〜７を用いて駆動回路８〜１１の動作タイミングを調整し、光変調波形の立ち上がり／立ち下がりタイミングを調整することにより、光信号を鈍らせ、オーバーシュート又はアンダーシュートによる波形の乱れを抑制することができる。
【００４０】
図６及び図７を用いて、オーバーシュート又はアンダーシュートによる波形の乱れについて説明する。実線は、それぞれの分割電極において変調された光信号を足し合わせた光信号を示している。破線は、それぞれの分割電極において変調された光信号を示している。図６は、駆動回路８〜１１を用いて光信号にアナログ的なピーキング特性を与えるが、遅延制御回路１６は、駆動信号の遅延を光信号の伝搬遅延Ｔとぴったり一致させるように制御を行う例を示している。この場合、図６に示すように、駆動信号波形がずれなく加算されることから、光信号の立ち上がり及び立ち下がりタイミングにおけるオーバーシュート及びアンダーシュートの影響が大きくなる。
【００４１】
これに対して、図７は、駆動回路８〜１１を用いて光信号にアナログ的なピーキング特性を与え、遅延制御回路１６が駆動信号の遅延を光信号の伝搬遅延ＴにさらにΔＴだけ余分に遅延をさせるように制御を行う例を示している。この場合、図７に示すように、駆動信号波形がずれて加算されることにより、光信号の立ち上がり及び立ち下がりタイミングが鈍ることになるが、立ち上がり／立ち下がりタイミングにおけるオーバーシュート及びアンダーシュートの影響が低減されている。
【００４２】
このように、アナログ的なピーキング特性を与える駆動回路８〜１１と、光信号の伝搬遅延ＴにさらにΔＴだけ余分に遅延をさせるように制御を行う遅延制御回路１６とを組み合わせることにより、光信号の立ち上がり及び立ち下がりタイミングを急峻にするとともに、オーバーシュート及びアンダーシュートの影響を軽減することができる。
【００４３】
また、インダクターを用いたアナログ的なピーキング特性を与える回路は、一旦ピーキング特性を作りこんでしまうと、温度変動や電源電圧変動によって特性が変わったとしても対処することができない。そこで、遅延制御回路１６を用いて遅延量を制御して立ち上がり及び立ち下がりタイミングを鈍らせることによりオーバーシュート及びアンダーシュート等のピーキングの無いきれいな波形を得ることができる。
【００４４】
（実施の形態２）
続いて、図８を用いて本発明の実施の形態２にかかる光位相変調回路の構成例について説明する。図８における光位相変調回路は、図２における光位相変調回路にクロック信号源３１が追加されている。さらに、可変遅延回路４が可変移相器３２及びＤフリップフロップ回路３６により構成されている。可変遅延回路５〜７も同様に、可変移相器３３〜３５及びＤフリップフロップ回路３７〜３９により構成されている。その他の構成は図１における光位相変調回路と同様であるため詳細な説明を省略する。
【００４５】
ここで、可変遅延回路４〜７の動作について説明する。クロック信号源３１はクロック信号を可変移相器３２〜３５へ出力する。また、遅延制御回路１６は、遅延量を設定した制御信号を可変移相器３２へ出力し、可変移相器３２〜３５へ出力されたクロック信号の位相を変化させる。これにより、可変移相器３２〜３５は、クロック信号源３１から出力されるクロック信号を遅延させてＤフリップフロップ回路３６〜３９へ出力することができる。
【００４６】
また、信号源３は、電気信号をＤフリップフロップ回路３６〜３９へ出力する。Ｄフリップフロップ回路３６〜３９は、可変移相器３２〜３５から出力されたクロック信号のタイミングに応じて、信号源３から出力された電気信号を駆動回路８〜１１へ出力する。
【００４７】
このようにして、可変移相器３２においてＤフリップフロップ回路３６へ出力するクロック信号のタイミングを遅らせることにより、可変遅延回路４から駆動回路８に対して出力される電気信号のタイミングも遅延する。つまり、可変移相器３２における遅延量を制御することにより、駆動回路８から分割電極１２へ出力する駆動信号のタイミングを制御することができる。可変遅延回路５〜７についても同様である。
【００４８】
（実施の形態３）
続いて、図９を用いて本発明の実施の形態３にかかる光位相変調回路の構成例について説明する。図９における光位相変調回路は、図２における光位相変調回路に波形モニター回路４１が追加されている。また、波形モニター回路４１は、図８における光位相変調回路に追加されてもよい。その他の構成は、図２と同様であるため詳細な説明を省略する。
【００４９】
波形モニター回路４１は、光導波路２から出力される光信号の波形を監視し、監視結果を遅延制御回路１６へ出力する。光導波路２から出力される光信号は、温度変動、電源変動又はプロセス変動によるばらつき等により、波形が乱れることがある。たとえば、温度変動等の影響により、光信号の立ち上がり又は立ち下がり時のオーバーシュート又はアンダーシュートの影響が大きくなる場合がある。このような場合に、遅延制御回路１６は、可変遅延回路４において、駆動回路８へ出力する電気信号の遅延量を大きくすることにより、立ち上がり又は立ち下がりタイミングを鈍らせ、立ち上がり又は立ち下がり時のオーバーシュート又はアンダーシュートの影響を低減させることができる。
【００５０】
また、光信号の立ち上がり及び立ち下がり時間が通常より長くなり、波形が鈍っている場合、遅延制御回路１６は、遅延量を小さくすることにより、光信号の立ち上がり又は立ち下がりタイミングを急峻にすることができる。
【００５１】
なお、本発明は上記実施の形態に限られたものではなく、趣旨を逸脱しない範囲で適宜変更することが可能である。
【００５２】
以上、実施の形態を参照して本願発明を説明したが、本願発明は上記によって限定されるものではない。本願発明の構成や詳細には、発明のスコープ内で当業者が理解し得る様々な変更をすることができる。
【００５３】
この出願は、２０１０年１１月１０日に出願された日本出願特願２０１０−２５１４８８を基礎とする優先権を主張し、その開示の全てをここに取り込む。
【符号の説明】
【００５４】
１  光信号源
２  光導波路
３  信号源
４  可変遅延回路
５  可変遅延回路
６  可変遅延回路
７  可変遅延回路
８  駆動回路
９  駆動回路
１０  駆動回路
１１  駆動回路
１２  分割電極
１３  分割電極
１４  分割電極
１５  分割電極
１６  遅延制御回路
１７  分岐部
１８  分岐部
１９  分岐部
２１  シャントピーキング用インダクター
２２  シャントピーキング用インダクター
２３  抵抗
２４  抵抗
２５  トランジスタ
２６  トランジスタ
２７  可変キャパシタ
２８  シリーズピーキング用インダクター
３１  クロック信号源
３２  可変移相器
３３  可変移相器
３４  可変移相器
３５  可変移相器
３６  Ｄフリップフロップ回路
３７  Ｄフリップフロップ回路
３８  Ｄフリップフロップ回路
３９  Ｄフリップフロップ回路
４１  波形モニター回路
５０  変調部
６０  変調タイミング制御部
【図１】
2012063413.tif 000003
【図２】
2012063413.tif 000004
【図３】
2012063413.tif 000005
【図４】
2012063413.tif 000006
【図５】
2012063413.tif 000007
【図６】
2012063413.tif 000008
【図７】
2012063413.tif 000009
【図８】
2012063413.tif 000010
【図９】
2012063413.tif 000011
【図１０】
2012063413.tif 000012
【図１１】
2012063413.tif 000013
【図１２】
2012063413.tif 000014
【国際調査報告】
2012063413.tif 000015
2012063413.tif 000016
2012063413.tif 000017
2012063413.tif 000018